(57)【要約】【課題】操作者の爪がキートップの間に入り込むことを防止するとともに、均一な照光状態を得、照光漏れのないキーボード構造を提供する。【解決手段】キートップ本体部１２０aと上部シート１２０ｂを一体成形してキートップ１２０を構成し、上部シート１２０ｂをキートップ本体部１２０aから外周方向に突出させてフランジ部１２０ｄを形成する。隣接するキートップ１２０の間にはフレーム１２２を配設し、上部シート１２０ｂのフランジ部１２０ｄとフレーム１２２のフランジ部１２２aで隙間を塞ぐ。【選択図】  図２
2011018484.tif 000002
【特許請求の範囲】
【請求項１】
キートップを押下して接点を閉成させる複数のキースイッチを有するキーボード構造において、
前記キートップ本体部と一体成形され、該キートップの外周端部から突出するように突出部を有するシート状部材を設けたことを特徴とするキーボード構造。
【請求項２】
前記突出部は、前記キートップの全外周から突出する請求項１記載のキーボード構造。
【請求項３】
キースイッチとキースイッチの間に配設されたフレーム部材を有し、前記シート状部材の突出部と、該シート状部材のキートップに隣接するキートップのシート状部材の突出部との間は、前記フレーム部材により覆われる請求項２記載のキーボード構造。
【請求項４】
前記キートップの下部に配設され、キートップを上下動可能に支持するリンク部材、押下されたキートップを元の位置に復帰させる復帰部材および前記接点を有するメンブレンシートを覆うシート状弾性部材を有する請求項３記載のキーボード構造。
【請求項５】
前記シート状弾性部材は、前記キートップに形成された枠状の固定部と、前記リンク部材及び前記復帰部材の上部に配設された可動部材との間に固定される請求項４記載のキーボード構造。
【請求項６】
前記フレーム部材は前記メンブレンシートの下部に配設されたバックプレートに熱溶着により固定される請求項４記載のキーボード構造。
【請求項７】
前記シート状部材は透光性の部材で形成され、前記キートップ側の面に入力用の文字又は記号が印刷される請求項１ないし６のいずれか１項記載のキーボード構造。
【請求項８】
前記キートップを昇降可能に支持するリンク機構と、
前記接点を有するメンブレンシートと、
前記メンブレンシートの下部に配設され、前記リンク機構を支持するとともに導光機能を有するバックプレートと、
発光素子を配設した発光素子シート部材とを有する請求項１記載のキーボード構造。
【請求項９】
前記発光素子シート部材は前記バックプレートの下部に配設され、前記バックプレートには前記発光素子の光を反射する遮蔽シールが設けられる請求項８記載のキーボード構造。
【請求項１０】
前記発光素子シート部材は前記バックプレートの上部に配設され、前記バックプレートの下部に前記発光素子の光を反射する反射シートを有する請求項８記載のキーボード構造。
【請求項１１】
前記メンブレンシート上に配置され、前記リンク機構を支持するホルダー部材を有し、
前記ホルダー部材は前記バックプレート方向に突出した溶着ピンを有し、
前記バックプレートは、前記メンブレンシート側に突出する打ち出し部と、該打ち出し部に形成され、前記溶着ピンが嵌入する孔とを有し、
前記ホルダー部材は前記溶着ピンが前記孔に挿入され、溶着ピンの先端部が溶着されることにより固定される請求項８、９または１０記載のキーボード構造。
【発明の詳細な説明】
【技術分野】
【０００１】
本発明は、情報処理機器、測定機器、医療機器などにおける入力装置として用いられるキーボードの構造に関し、特に照光機能を有するキーボード構造に関する。
【背景技術】
【０００２】
従来のキーボード構造として、例えば特許文献１（特開２００８−２９３９２２号公報）に開示されるものがある。この文献に開示されるキーボード構造は防水性機能を有するもので、キーキャップの下部にキートップとともに可動する可動板を配設するとともに、キートップと可動板の間にシート状弾性部材を配設したものである。そして可動板の下部に２つのリンク部材からなるリンク機構部、ラバードーム、メンブレンシートおよびバックプレートを配設した構造となっている。シート状弾性部材で機構部を覆うことにより、機構部に対する防水性を持たせたものである。
【０００３】
また照光機能を有するキーボード構造を示す文献として特許文献２（特開２００８−２３５０６５号公報）には、簡単な構造で均一な照光状態を得るために、メンブレンシートを支持するバックプレートに光透過性および光反射性を持たせることにより、バックプレートに導光機能と基板機能を持たせた構造が開示されている。バックプレートに対向して配置されたＬＥＤ光源から光が入力されると、バックプレートは入力された光をキートップの方向へ導く。これによりキーキャップ上の文字や記号等が明るく照らされる。
【先行技術文献】
【特許文献】
【０００４】
【特許文献１】特開２００８−２９３９２２号公報
【特許文献２】特開２００８−２３５０６５号公報
【発明の概要】
【発明が解決しようとする課題】
【０００５】
しかしながら、上記特許文献１に開示されるキーボード構造においては、操作時に、キートップとこれに隣接するキートップとの間に操作者の爪が入り込むことがあり、入り込んだ爪を引き抜く際に爪がキートップに引っ掛かり、キートップを外してしまう惧れがあった。また特許文献１のキーボード構造では、キートップの裏面に円柱状の嵌合部が形成され、この嵌合部に可動板が結合される構造となっているが、この嵌合部の厚さが厚いために、照光機能を持たせた場合には照光が不均一になる惧れがあった。また上記特許文献２に記載のキーボード構造においては、バックプレート全体から照光されるので、キートップとキートップの間から光が漏れるという問題があった。
【０００６】
そこで本発明は、操作者の爪がキートップの間に入り込むことを防止するとともに、均一な照光状態を得、照光漏れのないキーボード構造を提供することを目的とする。
【課題を解決するための手段】
【０００７】
上記課題を解決するために本発明のキーボード構造は、キートップを押下して接点を閉成させる複数のキースイッチを有するキーボード構造において、前記キートップ本体部と一体成形され、該キートップの外周端部から突出するように突出部を有するシート状部材を設けたことを特徴とするものである。
【発明の効果】
【０００８】
本発明によれば、キートップを覆うように設けられ、該キートップの外周端部から突出するように突出部を有するシート状部材を設けたことにより、操作者の爪がキートップの間に入り込むことを防止でき、また均一な照光状態を得ることができるとともに照光漏れを防止できる。
【図面の簡単な説明】
【０００９】
【図１】実施例１のキーボード構造を示す分解斜視図である。
【図２】実施例１のキーボード構造を示す断面図である。
【図３】キートップの変形例を示す斜視図である。
【図４】実施例１のシート状弾性部材を示す斜視図である。
【図５】実施例１のシート状弾性部材の境界部を示す断面図である。
【図６】溶着ピンの溶着状態を示す拡大図である。
【図７】実施例１におけるＬＥＤ配設部を示す詳細拡大図である。
【図８】フレームを示す切欠き斜視図である。
【図９】実施例２のキーボード構造を示す分解斜視図である。
【図１０】実施例２のキーボード構造を示す断面図である。
【図１１】実施例２のＬＥＤ配設部を示す詳細拡大図である。
【図１２】実施例３のキーボード構造を示す分解斜視図である。
【図１３】実施例３のキーボード構造を示す断面図である。
【図１４】実施例４のキーボード構造を示す分解斜視図である。
【図１５】実施例４のキーボード構造を示す断面図である。
【発明を実施するための形態】
【００１０】
以下、本発明の実施の形態を図面にしたがって詳細に説明する。各図面に共通する要素には同一の符号を付す。図１は本発明の実施例１のキーボード構造を示す分解斜視図であり、図２は実施例１のキーボード構造を示す断面図である。
【００１１】
図１、図２において、実施例１のキースイッチ１００は、キートップ１２０と、キートップ１２０の下部に配設されるシート状弾性部材１２１、キートップ１２０とともにシート状弾性部材１２１を固定する可動板１１１、可動板１１１に対して摺動可能に設けられた第１リンク部材１１２、可動板１１１に対して回転可能に設けられた第２リンク部材１１３、可動板１１１が押下されることにより屈曲し、押下力が排除されると可動板１１１を元の位置に復帰させるラバードーム（復帰部材）１１４、第１、第２リンク部材１１２、１１３を保持するホルダー１１５、ラバードーム１１４の直下に接点部を有するメンブレンシート１１６、メンブレンシート１１６を支持するとともに導光機能を有するバックプレート１１７、発光ダイオード（ＬＥＤ）が配設されるＬＥＤシート１１８およびフレーム１２２とにより構成されている。
【００１２】
キートップ１２０はキートップ本体部１２０ａと上部シート１２０ｂで構成され、上部シート１２０ｂはキートップ本体部１２０ａと一体成形され、キートップ本体部１２０ａの外形に沿った形状に形成される。上部シート１２０ｂはポリカーボネートまたはＰＥＴ（ポリエチレンテレフタレート）等を素材として形成される。上部シート１２０ｂの外周端部にはキートップ本体部１２０ａより水平方向に突出するフランジ部（突出部）１２０ｄが形成されている。本実施例ではフランジ部１２０ｄは図１に示すようにキートップ１２０の全周に亘って設けられているが、図３に示すように必要に応じてキートップ１２０の一側面にのみ設けるようにしてもよい。なお図３はキートップの変形例を示す斜視図である。
【００１３】
フランジ部１２０ｄは、図２に示すように、キートップ１２０の非押下時に後述するフレーム１２２の笠部１２２ａの裏側に接触するように配置される。このように配置されたフランジ部１２０ｄおよびフレーム１２２の笠部１２２ａを有することにより、後述するように、キートップ１２０とそれに隣接するキートップ１２０の間を塞ぐことができる。
【００１４】
上部シート１２０ｂの裏側（キートップ本体部１２０ａ側）には、指定された色（例えば黒）が文字部を除いて全面に印刷され（フランジ部１２０ｄも印刷される）、次に文字部が指定された文字色（例えば白）で印刷されて文字印刷部１２０ｆが形成される。キートップ本体部１２０ａと上部シート１２０ｂが一体成形された時、上部シート１２０ｂおよび印刷が切れない程度の傾斜を端部に形成してスカート部１２０ｅを形成する。文字印刷部１２０ｆを上部シート１２０ｂの裏側に形成することにより、度重なる押下操作により文字部の印刷が損傷することはない。なお印刷を上部シート１２０ｂの上部にタンポ、シルク印刷する場合は、文字部以外の部分への印刷は行われない。
【００１５】
キートップ本体部１２０ａの裏側には、シート状弾性部材１２１を固定するための固定枠１２０ｃが形成されている。シート状弾性部材１２１の上部には被固定部１２１ａが形成されており、この被固定部１２１ａが固定枠１２０ｃの内側に嵌め込まれ、さらに可動板１１１の突状部１１１ｃにより下方から押えることにより、シート状弾性部材１２１が位置決めおよび固定される。シート状弾性部材１２１は本実施例ではゴムにより形成され、図４に示すように、キーボード全体に亘って１枚で構成され、その下方に位置する部材（可動板１１１、第１リンク部材１１２、第２リンク部材１１３、ラバードーム１１４、ホルダー１１５、メンブレンシート１１６、バックプレート１１７及びＬＥＤシート１１８）を覆うように設けられる。図４はシート状弾性部材を示す斜視図である。
【００１６】
上述のように、シート状弾性部材１２１は複数のキースイッチ１００に亘って配設されるが、図５に示すように、シート状弾性部材１２１の、キースイッチとキースイッチの間の境界部１２１ｃには空気溝１２１ｂが形成されている。空気溝１２１ｂは、シート状弾性部材１２１の下側でキースイッチとそれに隣接するキースイッチの間で空気の流通を可能にするもので、キートップ１２０が押下されたときに隣接するキースイッチ間で空気が移動する。しかしながら空気溝１２１ｂは必ずしも必須なものではなく、シート状弾性部材１２１の下側の空間がキートップ押下に影響を与えないほど広い場合には必要はない。
【００１７】
可動板１１１の裏面には、第１リンク部材１１２の摺動ピン１１２ａを水平方向に摺動可能に支持する摺動支持部１１１ａと、第２リンク部材１１３の回転ピン１１３ａを回転可能に支持する回転支持部１１１ｂが設けられている。第１リンク部材１１２は、略枠状に形成され、摺動ピン１１２ａのほかに、第２リンク部材１１３の支点孔１１３ｃ（図１では片側にしか示していないが、支点孔１１３ｃは両側に設けられている。）に挿入されるピン１１２ｃと、ホルダー１１５の支点部１１５ｂに回転可能に保持されるピン１１２ｂを有する構成となっている。
【００１８】
第２リンク部材１１３は、回転ピン１１３ａのほかに、第１リンク部材１１２のピン１１２ｃが挿入される支点孔１１３ｃと、ホルダー１１５の摺動支持部１１５ｃにガイドされて摺動するピン１１３ｂを有する。ラバードーム１１４は、可動板１１１の下部に配設され、ゴム等を素材として略カップ状に形成され、内面中央部に、メンブレンシート１１６の接点部１１６ｂを押下するための接点押下部１１４ａが下方に向けて突出形成されている。第１リンク部材１１２と第２リンク部材１１３でリンク機構を構成する。
【００１９】
ホルダー１１５は１キー単位に分割して枠状に形成され、ホルダー１１５には、第１リンク部材１１２のピン１１２ｂを回転可能に支持するための支点部１１５ｂと、第２リンク部材１３のピン１１３ｂを摺動可能に支持する摺動支持部１１５ｃと、導光機能を持たせたバックプレート１１７に形成された孔１１７ａに嵌入する複数の溶着ピン１１５ａが設けられている。溶着ピン１１５ａの上部（基部）には、図２に示すように、フランジ部１１５ｄが形成されている。キースイッチを組み立てる場合、図６に示すように、溶着ピン１１５ａをバックプレート１１７の孔１１７ａに嵌入した後、溶着ピン１１５ａの先端部を熱溶着させ、二点鎖線で示すように、平板状にピン形状を変形させて孔１１７ａの下部周囲に固定させる。これによりホルダー１１５は、溶着ピン１１５ａが下方に突出することなく、バックプレート１１７に強固に固定される。なお図６は溶着ピンの溶着状態を示す拡大図である。
【００２０】
上記第１リンク部材１１２、第２リンク部材１１３およびホルダー１１５は、透明若しくは半透明の材質で形成されている。メンブレンシート１１６は、ラバードーム１１４の接点押下部１１４ａにより押下される接点部１１６ｂ（図１に示す）を有し、またホルダー１１５のフランジ部１１５ｄが入り込む孔１１６ａが形成されている。メンブレンシート１１６は、図示してはいないが、それぞれ可撓性を有する上部シートと下部シート、これらの上部シートと下部シートに挟まれたスペーサシートから成り、このスペーサシートには複数のキーに対応して複数の貫通穴が設けられている。貫通穴は上部シートと下部シートの間に空間を形成し、この空間内で互いに対向して位置するように、バックプレート１１７側の下部シートには固定接点が、ラバードーム１１４側の上部シートには可動接点がそれぞれ設けられている。固定接点および可動接点により接点部１１６ｂを構成する。
【００２１】
導光機能を有するバックプレート１１７は、透明もしくは透過性の高い樹脂等で形成され、光が屈折しながら内部を通過するようになっている。バックプレート１１７には、メンブレンシート１１６の孔１１６ａに対応する複数の位置に、ホルダー１１５の溶着用ピン１１５ａが嵌入する孔１１７ａが貫通するように設けられ、またＬＥＤ１１８ｂの配設位置に対応した位置に貫通孔１１７ｃが設けられている。孔１１７ａはメンブレンシート１１６の孔１１６ａより径が小さい径に設定されている。貫通孔１１７ｃの上部はＬＥＤ１１８ｂから発せられる光が漏れないように遮蔽（反射）シール１１９が貼付される。
【００２２】
遮蔽シール１１９は、ＬＥＤ１１８ｂより輝度が強く、ＬＥＤ１１８ｂの光がバックプレート１１７からメンブレンシート１１６側へ透ける位置に設けられる。またバックプレート１１７には、反射部１１７ｂが形成されている。反射部１１７ｂは、内部反射された光をキートップ１２０の方向へ反射させるもので、キートップ１２０の文字印刷部１２０ｆに対応した位置に設けられ、したがって１つのキースイッチに複数の反射部１１７ｂが設けられることもある。反射部１１７ｂはドット形状に印刷することにより形成される。なお反射部１１７ｂをドット状の凹凸部として形成してもよい。
【００２３】
ＬＥＤシート１１８には、ホルダー１１５の溶着ピン１１５ａに対応した位置に溶着孔１１８ａが形成され、またバックプレート１１７の貫通孔１１７ｃに対応した位置にＬＥＤ１１８ｂが配設されている。溶着孔１１８ａはバックプレート１１７の孔１１７ａよりも充分大きく形成される。ＬＥＤ１１８ｂはＬＥＤシート１１８上の任意の位置に配設可能である。ＬＥＤシート１１８の上面とバックプレート１１７の下面は粘着剤等で実装される。
【００２４】
図７は実施例１におけるＬＥＤ配設部を示す詳細拡大図であり、メンブレンシート１１６、バックプレート１１７、ＬＥＤシート１１８およびＬＥＤ１１８ｂを示している。図７において、ＬＥＤシート１１８は下面ＬＥＤシート部１１８ｃと上面反射シート部１１８ｄから構成される。下面ＬＥＤシート部１１８ｃの上側と上面反射シート部１１８ｄの下側は接着される。上面反射シート部１１８ｄにはＬＥＤ１１８ｂに対応した孔１１８ｅが設けられる。下面ＬＥＤシート部１１８ｃにはＬＥＤ１１８ｂが配設され、シート状にパターンが印刷されている。ＬＥＤ１１８ｂはボンディングされる。下面ＬＥＤシート部１１８ｃと上面反射シート部１１８ｄは防水糊等で接着されることにより防水機能を有する。また上面反射シート部１１８ｄは、反射性を持つ素材を、透明のＰＥＴシートの上面または下面に印刷することにより反射機能を持たせることができる。ＬＥＤ１１８ｂは孔を形成することなく実装できる。
【００２５】
フレーム１２２は、図１に示すように、格子状に形成され、各孔１２２ｃにキートップ１００が配設される。したがって孔１２２ｃはキートップ１２０の数だけ設けられる。図８はフレームを示す切欠き斜視図である。図２及び図８に示すように、フレーム１２２は、断面略Ｔ字状をしており、キートップ１２０のフランジ部１２０ｄを覆う笠部１２２ａと垂直部１２２ｄとで構成される。笠部１２２ａの下面は、キー押下されない時は、図１に示すように、キートップ１２０のフランジ部１２０ｄの上面が接触する。接触力はラバードーム１１４により得られる。これにより隣接するキートップ１２０の間に隙間が発生しない構成とすることができる。
【００２６】
フレーム１２２には任意の位置に複数の溶着ピン１２２ｂが形成されている。溶着ピン１２２ｂは垂直部１２２ｄから下方へ突出するように形成され、シート状弾性部材１２１に形成された孔１２１ｄ（図２に示す）に嵌入する。溶着ピン１２２ｂが孔１２１ｄに嵌入すると、先端部がＬＥＤシート１１８より下方へ突出するが、固定する場合は、溶着ピン１２２ｂの先端部を熱溶着することにより、図２に示すように変形させ、これにより垂直部１２２ｄと溶着部との間でシート状弾性部材１２１の筒部１２１ｃを固定する。
【００２７】
次に実施例1のスイッチ動作を説明する。図２において、キートップ１２０を上方から任意の荷重で押下すると、キートップ１２０は下方に移動し、これによりラバードーム１１４が屈曲し、ラバードーム１１４の接点押下部１１４ａが、メンブレンシート１１６の図示しない接点部を押圧する。これによりスイッチ閉状態となる。またキートップ１２０の押下により、シート１２０ｂのフランジ部１２０ｄがフレーム１２２のフランジ部１２２ａから下方に離れる。また第１リンク部材１１２および第２リンク部材１１３により、キートップ１２０の上部のどの部分を押下されても、キートップ１２０は水平状態を保ったまま下方に移動し、スイッチ閉状態が得られる。キートップ１２０への押下力を除去すると、ラバードーム１１４の復帰力によりキートップ１２０が上昇し、元に位置に戻る。これにより上部シート１２０ｂのフランジ部１２０ｄがフレーム１２２のフランジ部１２２ａの裏面に接触し、再びキートップ１２０とフレーム１２２の間が塞がれる。
【００２８】
次に照光動作を説明する。図２において、図示しない電源によりＬＥＤ１１８ｂが点灯されると、ＬＥＤ１１８ｂから発せられる光は、導光機能を有するバックプレート１１７の内部を通過する。ＬＥＤ１１８ｂの上部は遮蔽シール１１９が設けられているので、ＬＥＤ１１８ｂから発せられた光は上方へ抜けることなく、遮蔽シール１１９で反射し、バックプレート１１７内部を通過することになる。キートップ１２０の上部シート１２０ｂの裏側に形成された文字印刷部１２０ｆに対応した位置に設けられた反射部１１７ｂにより、光が反射され、反射した光はメンブレンシート１１６を介してキートップ１２０方向へ照射される。
【００２９】
メンブレンシート１１６は光透過性の材質で形成されており、光はメンブレンシート１１６を通過し、さらにホルダー１１５およびラバードーム１１４を通過し、キートップ１２０の裏面に到達する。キートップ１２０の文字印刷部１２０ｆは裏面から照光されることにより、上面から見て光って見える。
【００３０】
以上のように実施例１によれば、キートップ１２０の上部シート１２０ｂに水平方向に突出するフランジ部１２０ｄを形成したので、キー押下時に操作者の爪が隙間に入り込むことがなくなり、爪の挿入によるキートップ１２０のとり外れや誤入力が減少する効果が得られる。またキートップ１２０の下側に物が入り込めないので、キートップ１２０が物に引っ掛かることがなくなり、故意または偶然によるキートップ１２０の取り外しを防止することができる。また上部シート１２０ｂのフランジ部１２０ｄとフレーム１２２のフランジ部１２２aとにより隣接するキートップ１２０の間の隙間を塞ぐようにしたので、防水性を確保することができる。
【００３１】
また本実施例では、上部シート１２０ｂとキートップ本体部１２０ａとを一体にしてキートップ１２０を形成し、上部シート１２０ｂの裏面に文字印刷部１２０ｆを形成したので、キー操作頻度が多くなっても文字または記号の印刷が消えることがなく、キー表示を良好に保持することができる。またキートップ本体部１２０ａと一体成形した上部シート１２０ｂで隙間を塞ぐフランジ部１２０ｄを形成したので、キートップ１２０の全高を低く抑えることができる。さらに、本実施例では、シート状弾性部材１２１で機構部の全体を覆うようにしたので、とくにメンブレンシート１１６やＬＥＤシート１１８に対する防水機能を持たせることができ、これらの部材を特に防滴化する必要がなくなり、コストを低く抑えることが可能である。
【００３２】
また本実施例では、キートップ１２０の上部シート１２０ｂのフランジ部１２０ｄとフレーム１２２のフランジ部１２２ａでキートップ１２０の隙間を塞ぐようにしたことから、照光時の光漏れを防止することが可能となる。加えて、バックプレート１１７に導光板としての機能を持たせたので、ベース部が薄くなり、非照光式のキーボードから照光式のキーボードへの置き換えが容易になる効果がある。また部品点数が少なくなることから、コストを抑えることができる。また照光式でもバックプレート１１７のみを実装すればよいので、従来の非照光式のキーボードと同じ工程でキーボードの製造が可能となる。
【００３３】
次に本発明の実施例２を説明する。図９は実施例２のキーボード構造を示す分解斜視図、図１０は実施例２のキーボード構造を示す断面図である。図９、図１０において、実施例２のキースイッチ２００において、キートップ２２０、シート状弾性部材２２１、可動板２１１、第１リンク部材２１２、第２リンク部材２１３、ラバードーム２１４、ホルダー２１５およびフレーム２２２は上述の実施例１と同様の構成を有する。ホルダー２１５の下部には、メンブレンシート２１６、ＬＥＤが配設されるＬＥＤシート２１８、バックプレート２１７および反射シート２１９がこの順に配設されている。
【００３４】
ＬＥＤシート２１８には、ホルダー２１５の溶着ピン２１５ａのフランジ部２１５ｄ（図１０に示す）に対応した位置に孔２１８ａが形成されている。孔２１８ａは溶着ピン２１５ａのフランジ部２１５ｄの径より大きい径に設定されている。またバックプレート２１７の貫通孔２１７ｃに対応した位置にＬＥＤ２１８ｂが配設されている。ＬＥＤ２１８ｂはＬＥＤシート２１８上の任意の位置に配設可能である。
【００３５】
図１１は実施例２のＬＥＤ配設部を示す詳細拡大図である。図１１において、ＬＥＤシート２１８は上面ＬＥＤシート部２１８ｃと下面反射シート部２１８ｄから構成されている。上面ＬＥＤシート部２１８ｃの下側と下面反射シート部２１８ｄの上側は接着される。下面反射シート部２１８ｄにはＬＥＤ２１８ｂに対応した孔２１８ｅが設けられる。上面ＬＥＤシート部２１８ｃにはＬＥＤ２１８ｂが下向きに配設され、シート状にパターンが印刷されている。ＬＥＤ２１８ｂはボンディングされる。上面ＬＥＤシート部２１８ｃと下面反射シート部２１８ｄは防水糊等で接着されることにより防水機能をもたせることができるが、本実施例では、シート状弾性部材２２１でＬＥＤシート２１８を覆うので、必ずしも防水糊で接着する必要はない。
【００３６】
また下面反射シート部２１８ｄは、反射性を持つ素材を、透明のＰＥＴシートの上面または下面に印刷することにより反射機能を持たせることができる。なおメンブレンシート２１６が反射機能を持つ場合、必ずしも下面反射シート部２１８ｄに反射機能を持たせる必要はない。そしてＬＥＤシート２１８に反射機能を持たせない場合は、ＬＥＤシート２１８は、上面ＬＥＤシート部２１８ｃのみの構成としてもよい。即ち、上面ＬＥＤシート部２１８ｃがＬＥＤシート２１８そのものとなる。ＬＥＤシート２１８はメンブレンシート２１６の下部に配設される。
【００３７】
メンブレンシート２１６は、ラバードーム２１４の接点押下部２１４ａにより押下される接点部２１６ｂを有し、またホルダー２１５のフランジ部２１５ｄ（図１０に示す）が入り込む孔２１６ａが形成されている。実施例１と同様に導光機能を有するバックプレート２１７は、透明もしくは透過性の高い樹脂等で形成され、光が屈折しながら内部を通過するようになっている。バックプレート２１７には、メンブレンシート２１６の孔２１６ａおよびＬＥＤシート２１８の孔２１８ａに対応する複数の位置に、ホルダー２１５の溶着用ピン２１５ａが嵌入する孔２１７ａが貫通するように設けられ、またＬＥＤ２１８ｂの配設位置に対応した位置に貫通孔２１７ｃが設けられている。孔２１７ａはメンブレンシート２１６の孔２１６ａおよびＬＥＤシート２１８の孔２１８ａより径が小さい径に設定されている。またバックプレート２１７には、反射部２１７ｂが形成されている。
【００３８】
反射シート２１９はホルダー２１５の溶着ピン２１５ａに対応した位置に孔２１９ａが設けられている。反射シート２１９はバックプレート２１７の下側に接着剤等で接着されて配置可能であるので、必ずしも溶着ピン２１５ａで固着する必要はない。反射シート２１９によりＬＥＤ２１８ｂから発せられる光をバックプレート２１７側に反射させる。
【００３９】
実施例２のキー押下動作は上述の実施例１の動作と同様であるので、説明を省略する。ここでは実施例２における照光動作を説明する。図１０において、図示しない電源によりＬＥＤ２１８ｂが点灯されると、ＬＥＤ２１８ｂから発せられる光は、導光機能を有するバックプレート２１７の内部を通過する。ＬＥＤ２１８ｂの下部は反射シート２１９が設けられているので、ＬＥＤ２１８ｂから発せられた光は下方へ抜けることなく、反射シート２１９で反射し、バックプレート２１７内部を通過することになる。またバックプレート２１７の上部にはＬＥＤシート２１８もしくはメンブレンシート２１６に反射機能を持たせているので、ＬＥＤ２１８ｂから発せられた光は上方へ抜けることなく、バックプレート２１７内部を通過することになる。キートップ２２０の文字印刷部２２０ｆに対応した位置に設けられた反射部２１７ｂにより、光が反射され、反射した光はＬＥＤシート２１８およびメンブレンシート２１６を介してキートップ２２０方向へ照射する。
【００４０】
以下、実施例１と同様に、光はメンブレンシート２１６を通過し、さらにホルダー２１５およびラバードーム２１４を通過して、キートップ２２０の裏面に到達する。キートップ２２０の文字印刷部２２０ｆは裏面から照光されることにより、上面から見て光って見える。
【００４１】
以上のように実施例２では、上述した実施例１と同様の効果を奏する。それに加えて、ＬＥＤ２１８ｂが下向きに設けられているので、キーボード上面に対するＬＥＤ２１８ｂの輝度の影響を少なくすることができる。またＬＥＤ２１８ｂが配設されるバックプレート２１７の貫通孔２１７ｃを塞ぐための遮蔽シールを貼る必要はない。
【００４２】
次に本発明の実施例３を説明する。図１２は実施例３のキーボード構造を示す分解斜視図、図１３は実施例３のキーボード構造を示す断面図である。図１２、図１３において、実施例３のキースイッチ３００において、キートップ３２０、シート状弾性部材３２１、可動板３１１、第１リンク部材３１２、第２リンク部材３１３、ラバードーム３１４、ホルダー３１５およびフレーム３２２は上述の実施例１および実施例２と同様の構成を有する。ホルダー３１５の下部には、メンブレンシート３１６、バックプレート３１７およびＬＥＤシート３１８がこの順に配設されている。
【００４３】
メンブレンシート３１６は、ラバードーム３１４の接点押下部３１４ａにより押下される接点部３１６ｂを有し、またホルダー３１５の溶着ピン３１５ａが入り込む孔３１６ａが形成されている。導光機能を有するバックプレート３１７には、メンブレンシート３１６の孔３１６ａに対応する複数の位置に、ホルダー３１５の溶着ピン３１５ａが嵌入する孔３１７ａが貫通するように設けられ、またＬＥＤ３１８ｂの配設位置に対応した位置に貫通孔３１７ｃが設けられている。またバックプレート３１７には打ち出し部３１７ｄが形成され、孔３１７ａは、この打ち出し部３１７ｄに形成されている。孔３１７ａはメンブレンシート３１６の孔３１６ａより小さい径に設定されている。貫通孔３１７ｃの上部はＬＥＤ３１８ｂから発せられる光が漏れないように遮蔽（反射）シール３１９が貼付される。
【００４４】
遮蔽シール３１９は、ＬＥＤ３１８ｂより輝度が強く、ＬＥＤ３１８ｂの光がバックプレート３１７からメンブレンシート３１６側へ透ける位置に貼付される。またバックプレート３１７には、反射部３１７ｂが形成されている。反射部３１７ｂはキートップ３２０の文字印刷部３２０ｆに対応した位置に設けられ、ドット形状に印刷することにより形成される。
【００４５】
バックプレート３１７の打ち出し部３１７ｄの高さは、メンブレンシート３１６の厚さより若干高くなっている。打ち出し部３１７ｄの下部には空間が形成され、この空間においてホルダー３１５の溶着ピン３１５ａの先端部が熱溶着される。したがって、溶着後の状態においては、図１３に示すように、ＬＥＤシート３１８の孔を形成しなくても底面が水平に保たれる。それでＬＥＤシート３１８には、実施例１のように、孔は設けられていない。なおホルダー３１５の溶着ピン３１５ａにフランジ部は形成されていない。
【００４６】
実施例３における組み立て動作および照光動作は第１の実施の形態と同様である。実施例３によれば、上記実施例１の奏する効果に加えて、導光機能を有するバックプレート３１７に打ち出し部３１７ｄを設けたことにより、ホルダー３１５の溶着ピン３１５ａの溶着される先端部が打ち出し部３１７ｄの内部に入り込むので、溶着部がバックプレート３１７の下方に突出することはない。ＬＥＤシート３１８に孔を設ける必要がないので防水性も確保できる。
【００４７】
次に本発明の実施例４を説明する。図１４は実施例４のキーボード構造を示す分解斜視図、図１５は実施例４のキーボード構造を示す断面図である。図１４、図１５において、実施例４のキースイッチ４００においては、キートップ４２０、シート状弾性部材４２１、可動板４１１、第１リンク部材４１２、第２リンク部材４１３、ラバードーム４１４、ホルダー４１５およびフレーム４２２は上述の実施例１と同様の構成を有する。ホルダー４１５の下部には、メンブレンシート４１６、ＬＥＤが配設されるＬＥＤシート４１８、バックプレート４１７および反射シート４１９がこの順に配設されている。
【００４８】
メンブレンシート４１６およびＬＥＤシート４１８は、上記実施例２のメンブレンシート２１６およびＬＥＤシート２１８と同様の構成を有する。導光機能を有するバックプレート４１７には、メンブレンシート４１６の孔４１６ａに対応する複数の位置に、ホルダー４１５の溶着ピン４１５ａが嵌入する孔４１７ａが貫通するように設けられ、またＬＥＤ４１８ｂの配設位置に対応した位置に貫通孔４１７ｃが設けられている。またバックプレート４１７には打ち出し部４１７ｄが形成され、孔４１７ａは、この打ち出し部４１７ｄに形成されている。孔４１７ａはメンブレンシート４１６の孔４１６ａより小さい径に設定されている。貫通孔４１７ｃの下部は遮蔽シールは貼付されない。またバックプレート４１７には、ドット形状に印刷した反射部４１７ｂが形成されている。バックプレート４１７の下部に設けられる反射シート４１９には、実施例２のように、孔は設けられていない。
【００４９】
実施例３と同様に、バックプレート４１７の打ち出し部４１７ｄの高さは、メンブレンシート４１６の厚さより若干高くなっている。打ち出し部４１７ｄの下部には空間が形成され、この空間においてホルダー４１５の溶着ピン４１５ａの先端部が熱溶着される。したがって、溶着後の状態においては、図１５に示すように、ＬＥＤシート４１８の孔を形成しなくても底面が水平に保たれる。それでＬＥＤシート４１８には、実施例２のように、孔は設けられていない。
【００５０】
実施例４における組み立て動作および照光動作は実施例２と同様である。実施例４によれば、上記実施例２の奏する効果に加えて、バックプレート４１７に打ち出し部４１７ｄを設けたことにより、溶着ピン４１５ａの溶着される先端部が打ち出し部４１７ｄの内部に入り込むので、溶着部がバックプレート４１７の下方に突出することはない。反射シート４１９に孔を設ける必要がないので防水性も確保できる。
【００５１】
本発明は上記各実施例に限定されるものではなく、種々の変形が可能である。例えば、上記実施例２および実施例４においては、メンブレンシート２１６、４１６の下部にＬＥＤシート２１８、４１８を配置する構成としたが、この逆にＬＥＤシート２１８、４１８の下部にメンブレンシート２１６、４１６を配置する構成としてもよい。この場合には、メンブレンシート２１６、４１６にＬＥＤが嵌入する孔を設けるようにする。
【００５２】
また、上記各実施例ではキートップを押下すると、シート１２０ｂ、２２０ｂ、３２０ｂ、４２０ｂのフランジ部がフレームのフランジ部１２２ａ、２２２ａ、３２２ａ、４２２ａから離れるので、シート１２０ｂ、２２０ｂ、３２０ｂ、４２０ｂのフランジ部とフレームのフランジ部１２２ａ、２２２ａ、３２２ａ、４２２ａの間に可撓性の膜状の部材を設けるようにすることにより、キー押下時の防水性を確保することが可能となる。
【符号の説明】
【００５３】
１００、２００、３００、４００  キースイッチ
１２０、２２０、３２０、４２０  キートップ
１２０ｂ、２２０ｂ、３２０ｂ、４２０ｂ  上部シート
１２０ｄ、２２０ｄ、３２０ｄ、４２０ｄ  フランジ部
１２１、２２１、３２１、４２１  シート状弾性部材
１１１、２１１、３１１、４１１  可動板
１２２、２２２、３２２、４２２  フレーム
１２２ａ、２２２ａ、３２２ａ、４２２ａ  フランジ部
【図１】
2011018484.tif 000003
【図２】
2011018484.tif 000004
【図３】
2011018484.tif 000005
【図４】
2011018484.tif 000006
【図５】
2011018484.tif 000007
【図６】
2011018484.tif 000008
【図７】
2011018484.tif 000009
【図８】
2011018484.tif 000010
【図９】
2011018484.tif 000011
【図１０】
2011018484.tif 000012
【図１１】
2011018484.tif 000013
【図１２】
2011018484.tif 000014
【図１３】
2011018484.tif 000015
【図１４】
2011018484.tif 000016
【図１５】
2011018484.tif 000017